(57)【要約】【課題】信号処理装置の信号処理の複数の機能を選択し、利用する。【解決手段】アルゴリズムベイ１２が第１の接続形態で信号処理装置１１に接続されている場合、アルゴリズムベイ１２のセレクタ部３４は、信号処理装置１１の信号処理の機能として、第１の機能提供部３２より提供される第１の機能を選択し、それに変更する。これに対して、アルゴリズムベイ１２が第２の接続形態で信号処理装置１１に接続されている場合、アルゴリズムベイ１２のセレクタ部３４は、信号処理装置１１の信号処理の機能として、第２の機能提供部３３より提供される第２の機能を選択し、それに変更する。本発明は、画像信号を処理する画像信号処理装置に適用可能である。【選択図】図１
2008199687.tif 000002
【特許請求の範囲】
【請求項１】
入力信号に対して信号処理を施して、出力信号を出力する第１の信号処理部と、
外部の装置と無線または有線で通信する第１のインタフェースと、
前記出力信号および前記第１のインタフェースにより受信された受信信号のいずれかを選択出力する制御部と
を備える
第１の信号処理装置と、
前記第１の信号処理装置からの入力信号を受信する第２のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する第２の信号処理部と
を備える
第２の信号処理装置と
を備え、
前記第１の信号処理装置は、前記第２の信号処理装置を装着する装着手段をさらに有し、
前記第２の信号処理装置が、前記第１の信号処理装置の前記装着手段に装着される装着方向に応じて、前記第２の信号処理部が、前記第１の係数記憶部及び第２の係数記憶部のうちのいずれか一方と導通状態とされることにより、前記第２の信号処理部は、前記入力信号と、導通状態とされた記憶部に記憶される係数との線形一次結合により得られた出力信号を出力する
ことを特徴とする信号処理システム。
【請求項２】
前記第２のインタフェースは、前記第２の信号処理部からの出力信号を前記第１のインタフェースに送信する
ことを特徴とする請求項１に記載の信号処理システム。
【請求項３】
前記第２の信号処理装置は、前記第１の信号処理装置に対して装着される基板として形成されている
ことを特徴とする請求項１に記載の信号処理システム。
【請求項４】
前記第２の信号処理装置は、前記第２の信号処理部が前記第１の係数記憶部と導通状態となる第１の装着方向で装着されたときにユーザに視認可能な第１の位置に、前記第１の係数記憶部に記憶される係数に対応する機能を表す表示を行うとともに、前記第２の信号処理部が前記第２の係数記憶部と導通状態となる第２の装着方向で装着されたときにユーザに視認可能な第２の位置に、前記第２の係数記憶部に記憶される係数に対応する機能を表す表示を行う
ことを特徴とする請求項１に記載の信号処理システム。
【請求項５】
第１の信号処理装置と、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と
を備える
第２の信号処理装置と
からなる信号処理システムの信号処理方法において、
前記第１の信号処理装置が、
入力信号に対して第１の信号処理部により信号処理を施して、出力信号を出力し、
前記第１の信号処理装置と無線または有線で第１のインタフェースにより通信し、
前記出力信号および前記第１のインタフェースにより受信された受信信号のいずれかを選択出力し、
前記第２の信号処理装置が、
前記第１の信号処理装置からの入力信号を第２のインタフェースにより受信し、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を第２の信号処理部により実行し、
前記第１の信号処理装置は、前記第２の信号処理装置を装着手段に装着し、
前記第２の信号処理装置が、前記第１の信号処理装置の前記装着手段に装着される装着方向に応じて、前記第２の信号処理部が、前記第１の係数記憶部及び第２の係数記憶部のうちのいずれか一方と導通状態とされることにより、前記第２の信号処理部は、前記入力信号と、導通状態とされた記憶部に記憶される係数との線形一次結合により得られた出力信号を出力する
ことを特徴とする信号処理方法。
【請求項６】
入力信号に対して信号処理を施して、出力信号を出力する第１の信号処理部と、
第１の他の信号処理装置と無線または有線で通信する第１のインタフェースと、
前記出力信号および前記第１のインタフェースにより受信された受信信号のいずれかを選択出力する制御部と
を備え、
前記第１の他の信号処理装置は、
前記第１のインタフェースからの入力信号を受信する第２のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する第２の信号処理部と
を有し、
更に、前記第１の他の信号処理装置を装着する装着手段を有し、
前記第１の他の信号処理装置が、前記装着手段に装着される装着方向に応じて、前記第２の信号処理部が、前記第１の係数記憶部及び前記第２の係数記憶部のうちのいずれか一方と導通状態とされることにより、前記第２の信号処理部は、前記入力信号と、導通状態とされた記憶部に記憶される係数との線形一次結合により得られた出力信号を出力する
ことを特徴とする信号処理装置。
【請求項７】
前記第２のインタフェースは、前記第２の信号処理部からの出力信号を前記第１のインタフェースに送信する
ことを特徴とする請求項６に記載の信号処理装置。
【請求項８】
前記第１の他の信号処理装置は、前記第２の信号処理部が前記第１の係数記憶部と導通状態となる第１の装着方向で装着されたときにユーザに視認可能な第１の位置に、前記第１の係数記憶部に記憶される係数に対応する機能を表す表示を行うとともに、前記第２の信号処理部が前記第２の係数記憶部と導通状態となる第２の装着方向で装着されたときにユーザに視認可能な第２の位置に、前記第２の係数記憶部に記憶される係数に対応する機能を表す表示を行う
ことを特徴とする請求項６に記載の信号処理装置。
【請求項９】
信号処理装置の信号処理方法において、
入力信号に対して信号処理を施して、出力信号を出力し、
他の信号処理装置と無線または有線で第１のインタフェースにより通信し、
前記出力信号および前記第１のインタフェースにより受信された受信信号のいずれかを選択出力する
ステップを含み、
前記他の信号処理装置は、
前記第１のインタフェースからの入力信号を受信する第２のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部と
を有し、
更に、前記第１の他の信号処理装置を装着する装着手段を有し、
前記第１の他の信号処理装置が、前記装着手段に装着される装着方向に応じて、前記信号処理部が、前記第１の係数記憶部及び前記第２の係数記憶部のうちのいずれか一方と導通状態とされることにより、前記信号処理部は、前記入力信号と、導通状態とされた記憶部に記憶される係数との線形一次結合により得られた出力信号を出力する
ことを特徴とする信号処理方法。
【請求項１０】
信号処理装置を制御するコンピュータのプログラムであって、
入力信号に対して信号処理を施して、出力信号を出力し、
他の信号処理装置と無線または有線で第１のインタフェースにより通信し、
前記出力信号および前記第１のインタフェースにより受信された受信信号のいずれかを選択出力する
ステップを含み、
前記他の信号処理装置は、
前記第１のインタフェースからの入力信号を受信する第２のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部と
を有し、
更に、前記他の信号処理装置を装着する装着手段を有し、
前記他の信号処理装置が、前記装着手段に装着される装着方向に応じて、前記信号処理部が、前記第１の係数記憶部及び前記第２の係数記憶部のうちのいずれか一方と導通状態とされることにより、前記信号処理部は、前記入力信号と、導通状態とされた記憶部に記憶される係数との線形一次結合により得られた出力信号を出力する
ステップを含むことを特徴とするコンピュータが読み取り可能なプログラムが記録されている記録媒体。
【請求項１１】
信号処理装置を制御するコンピュータに、
入力信号に対して信号処理を施して、出力信号を出力し、
他の信号処理装置と無線または有線で第１のインタフェースにより通信し、
前記出力信号および前記第１のインタフェースにより受信された受信信号のいずれかを選択出力する
ステップを実行させ、
前記他の信号処理装置は、
前記第１のインタフェースからの入力信号を受信する第２のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部と
を有し、
更に、前記他の信号処理装置を装着する装着手段を有し、
前記他の信号処理装置が、前記装着手段に装着される装着方向に応じて、前記信号処理部が、前記第１の係数記憶部及び前記第２の係数記憶部のうちのいずれか一方と導通状態とされることにより、前記信号処理部は、前記入力信号と、導通状態とされた記憶部に記憶される係数との線形一次結合により得られた出力信号を出力する
ことを特徴とするプログラム。
【請求項１２】
第１の他の信号処理装置からの入力信号を受信するインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部と
を備える信号処理装置であって、
前記第１の他の信号処理装置は、
入力信号に対して信号処理を施して、出力信号を出力する第１の他の信号処理部と、
前記インタフェースと無線または有線で通信する他のインタフェースと、
前記出力信号および前記インタフェースにより受信された受信信号のいずれかを選択出力する制御部
とを有し、
前記第１の他の信号処理装置は、前記信号処理装置を装着する装着手段を有し、
前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力する
ことを特徴とする信号処理装置。
【請求項１３】
前記インタフェースは、前記信号処理部からの出力信号を前記他のインタフェースに送信する
ことを特徴とする請求項１２に記載の信号処理システム。
【請求項１４】
前記信号処理装置は、前記第１の他の信号処理装置に対して装着される基板として形成されている
ことを特徴とする請求項１２に記載の信号処理装置。
【請求項１５】
前記信号処理装置は、前記信号処理部が前記第１の係数記憶部と導通状態となる第１の装着方向で装着されたときにユーザに視認可能な第１の位置に、前記第１の係数記憶部に記憶される係数に対応する機能を表す表示を行うとともに、前記信号処理部が前記第２の係数記憶部と導通状態となる第２の装着方向で装着されたときにユーザに視認可能な第２の位置に、前記第２の係数記憶部に記憶される係数に対応する機能を表す表示を行う
ことを特徴とする請求項１２に記載の信号処理装置。
【請求項１６】
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と
を備える信号処理装置の信号処理方法において、
他の信号処理装置からの入力信号をインタフェースにより受信し、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を信号処理部により実行する
ステップを含み、
前記他の信号処理装置は、
入力信号に対して信号処理を施して、出力信号を出力する他の信号処理部と、
前記インタフェースと無線または有線で通信する他のインタフェースと、
前記出力信号および前記インタフェースにより受信された受信信号のいずれかを選択出力する制御部と
を有し、
前記他の信号処理装置は、前記信号処理装置を装着する装着手段を有し、
前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力する
ことを特徴とする信号処理方法。
【請求項１７】
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と
を備える信号処理装置を制御するコンピュータのプログラムであって、
他の信号処理装置からの入力信号をインタフェースにより受信し、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を信号処理部により実行する
ステップを含み、
前記他の信号処理装置は、
入力信号に対して信号処理を施して、出力信号を出力する他の信号処理部と、
前記インタフェースと無線または有線で通信する他のインタフェースと、
前記出力信号および前記インタフェースにより受信された受信信号のいずれかを選択出力する制御部と
を有し、
前記他の信号処理装置は、前記信号処理装置を装着する装着手段を有し、
前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力する
ことを特徴とするコンピュータが読み取り可能なプログラムが記録されている記録媒体。
【請求項１８】
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と
を備える信号処理装置を制御するコンピュータに、
他の信号処理装置からの入力信号をインタフェースにより受信し、
入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を信号処理部により実行する
ステップを実行させ、
前記他の信号処理装置は、
入力信号に対して信号処理を施して、出力信号を出力する他の信号処理部と、
前記インタフェースと無線または有線で通信する他のインタフェースと、
前記出力信号および前記インタフェースにより受信された受信信号のいずれかを選択出力する制御部と
を有し、
前記他の信号処理装置は、前記信号処理装置を装着する装着手段を有し、
前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力する
ことを特徴とするプログラム。
【発明の詳細な説明】
【技術分野】
【０００１】
本発明は、信号処理システム、信号処理装置及び方法、記録媒体、並びにプログラムに関し、特に、信号処理装置の信号処理の複数の機能を簡単に選択し、利用することができるようにした信号処理システム、信号処理装置及び方法、記録媒体、並びにプログラムに関する。
【背景技術】
【０００２】
入力した信号に、所定の信号処理を施して出力する信号処理装置に対して基板を装着し、その信号処理の内容を変更するための情報を、基板から有線で信号処理装置に供給するようにすることが知られている。この場合、例えば、信号処理装置のバスに基板が接続されることで、情報が基板から信号処理装置にバスを介して供給される。
【発明の開示】
【発明が解決しようとする課題】
【０００３】
ところで、従来、基板には、信号処理装置の信号処理の１つの機能に対応する情報しか対応づけられていなかった。従って、信号処理装置に対して、複数の機能を割り付ける場合、複数の基板を用意しなければならず、その保管が面倒になる課題があった。また、機能を変更する場合、ユーザは、変更する機能に対応する基板を探し、装着しなければならず、操作性が悪いという課題があった。
【０００４】
本発明は、このような状況に鑑みてなされたものであり、信号処理装置の信号処理の複数の機能を簡単に選択し、利用することができるようにするものである。
【課題を解決するための手段】
【０００５】
本発明の第１の側面の信号処理システムは、入力信号に対して信号処理を施して、出力信号を出力する第１の信号処理部と、外部の装置と無線または有線で通信する第１のインタフェースと、前記出力信号および前記第１のインタフェースにより受信された受信信号のいずれかを選択出力する制御部とを備える第１の信号処理装置と、前記第１の信号処理装置からの入力信号を受信する第２のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する第２の信号処理部とを備える第２の信号処理装置とを備え、前記第１の信号処理装置は、前記第２の信号処理装置を装着する装着手段をさらに有し、前記第２の信号処理装置が、前記第１の信号処理装置の前記装着手段に装着される装着方向に応じて、前記第２の信号処理部が、前記第１の係数記憶部及び第２の係数記憶部のうちのいずれか一方と導通状態とされることにより、前記第２の信号処理部は、前記入力信号と、導通状態とされた記憶部に記憶される係数との線形一次結合により得られた出力信号を出力することを特徴とする。
【０００６】
前記第２のインタフェースは、前記第２の信号処理部からの出力信号を前記第１のインタフェースに送信するようにすることができる。
【０００７】
前記第２の信号処理装置は、前記第１の信号処理装置に対して装着される基板として形成されているようにすることができる。
【０００８】
前記第２の信号処理装置は、前記第２の信号処理部が前記第１の係数記憶部と導通状態となる第１の装着方向で装着されたときにユーザに視認可能な第１の位置に、前記第１の係数記憶部に記憶される係数に対応する機能を表す表示を行うとともに、前記第２の信号処理部が前記第２の係数記憶部と導通状態となる第２の装着方向で装着されたときにユーザに視認可能な第２の位置に、前記第２の係数記憶部に記憶される係数に対応する機能を表す表示を行うようにすることができる。
【０００９】
本発明の第１の側面の信号処理方法は、第１の信号処理装置と、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部とを備える第２の信号処理装置とからなる信号処理システムの信号処理方法において、第１の信号処理装置が、入力信号に対して第１の信号処理部により信号処理を施して、出力信号を出力し、第１の信号処理装置と無線または有線で第１のインタフェースにより通信し、出力信号および第１のインタフェースにより受信された受信信号のいずれかを選択出力し、第２の信号
処理装置が、第１の信号処理装置からの入力信号を第２のインタフェースにより受信し、入力信号の特徴に応じてクラスを決定し、当該クラスに対応する係数を第１の係数記憶部及び第２の係数記憶部のうちのいずれか一方から選択し、入力信号と選択された係数との線形一次結合により得られた出力信号を出力するクラス分類適応処理を第２の信号処理部により実行し、前記第１の信号処理装置は、前記第２の信号処理装置を装着する装着手段を有し、前記第２の信号処理装置が、前記第１の信号処理装置の前記装着手段に装着される装着方向に応じて、前記第２の信号処理部が、前記第１の係数記憶部及び第２の係数記憶部のうちのいずれか一方と導通状態とされることにより、前記第２の信号処理部は、前記入力信号と、導通状態とされた記憶部に記憶される係数との線形一次結合により得られた出力信号を出力することを特徴とする。
【００１０】
第１の信号処理装置は、信号を有線および無線にて受信する受信専用装置であっても構わないし、信号を有線または無線にて送信することも可能な送受信装置であってもよい。
【００１１】
また、第２の信号処理装置は、信号を有線および無線にて送信する送信専用装置であっても構わないし、信号を有線または無線にて受信することも可能な送受信装置であってもよい。
【００１２】
本発明の第２の側面の信号処理装置は、入力信号に対して信号処理を施して、出力信号を出力する第１の信号処理部と、第１の他の信号処理装置と無線または有線で通信する第１のインタフェースと、前記出力信号および前記第１のインタフェースにより受信された受信信号のいずれかを選択出力する制御部とを備え、前記第１の他の信号処理装置は、前記第１のインタフェースからの入力信号を受信する第２のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する第２の信号処理部とを有し、更に、前記第１の他の信号処理装置を装着する装着手段を有し、前記第１の他の信号処理装置が、前記装着手段に装着される装着方向に応じて、前記第２の信号処理部が、前記第１の係数記憶部及び前記第２の係数記憶部のうちのいずれか一方と導通状態とされることにより、前記第２の信号処理部は、前記入力信号と、導通状態とされた記憶部に記憶される係数との線形一次結合により得られた出力信号を出力することを特徴とする。
【００１３】
前記第２のインタフェースは、前記第２の信号処理部からの出力信号を前記第１のインタフェースに送信するようにすることができる。
【００１４】
前記第１の他の信号処理装置は、前記第２の信号処理部が前記第１の係数記憶部と導通状態となる第１の装着方向で装着されたときにユーザに視認可能な第１の位置に、前記第１の係数記憶部に記憶される係数に対応する機能を表す表示を行うとともに、前記第２の信号処理部が前記第２の係数記憶部と導通状態となる第２の装着方向で装着されたときにユーザに視認可能な第２の位置に、前記第２の係数記憶部に記憶される係数に対応する機能を表す表示を行うようにすることができる。
【００１５】
本発明の第２の側面の信号処理方法は、入力信号に対して信号処理を施して、出力信号を出力し、他の信号処理装置と無線または有線で第１のインタフェースにより通信し、前記出力信号および前記第１のインタフェースにより受信された受信信号のいずれかを選択出力するステップを含み、前記他の信号処理装置は、前記第１のインタフェースからの入力信号を受信する第２のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部とを有し、更に、前記第１の他の信号処理装置を装着する装着手段を有し、前記第１の他の信号処理装置が、前記装着手段に装着される装着方向に応じて、前記信号処理部が、前記第１の係数記憶部及び前記第２の係数記憶部のうちのいずれか一方と導通状態とされることにより、前記信号処理部は、前記入力信号と、導通状態とされた記憶部に記憶される係数との線形一次結合により得られた出力信号を出力することを特徴とする。
【００１６】
本発明の第２の側面の記録媒体のプログラムは、信号処理装置を制御するコンピュータのプログラムであって、入力信号に対して信号処理を施して、出力信号を出力し、他の信号処理装置と無線または有線で第１のインタフェースにより通信し、前記出力信号および前記第１のインタフェースにより受信された受信信号のいずれかを選択出力するステップを含み、前記他の信号処理装置は、前記第１のインタフェースからの入力信号を受信する第２のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部とを有し、更に、前記他の信号処理装置を装着する装着手段を有し、前記他の信号処理装置が、前記装着手段に装着される装着方向に応じて、前記信号処理部が、前記第１の係数記憶部及び前記第２の係数記憶部のうちのいずれか一方と導通状態とされることにより、前記信号処理部は、前記入力信号と、導通状態とされた記憶部に記憶される係数との線形一次結合により得られた出力信号を出力するステップを含むことを特徴とする。
【００１７】
本発明の第２の側面のプログラムは、信号処理装置を制御するコンピュータに、入力信号に対して信号処理を施して、出力信号を出力し、他の信号処理装置と無線または有線で第１のインタフェースにより通信し、前記出力信号および前記第１のインタフェースにより受信された受信信号のいずれかを選択出力するステップを実行させ、前記他の信号処理装置は、前記第１のインタフェースからの入力信号を受信する第２のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部とを有し、更に、前記他の信号処理装置を装着する装着手段を有し、前記他の信号処理装置が、前記装着手段に装着される装着方向に応じて、前記信号処理部が、前記第１の係数記憶部及び前記第２の係数記憶部のうちのいずれか一方と導通状態とされることにより、前記信号処理部は、前記入力信号と、導通状態とされた記憶部に記憶される係数との線形一次結合により得られた出力信号を出力することを特徴とする。
【００１８】
信号処理装置は、信号を有線および無線にて受信する受信専用装置であっても構わないし、信号を有線または無線にて送信することも可能な送受信装置であってもよい。
【００１９】
本発明の第３の側面の信号処理装置は、第１の他の信号処理装置からの入力信号を受信するインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する信号処理部とを備える信号処理装置であって、前記第１の他の信号処理装置は、入力信号に対して信号処理を施して、出力信号を出力する第１の他の信号処理部と、前記インタフェースと無線または有線で通信する他のインタフェースと、前記出力信号および前記インタフェースにより受信された受信信号のいずれかを選択出力する制御部とを有し、前記第１の他の信号処理装置は、前記信号処理装置を装着する装着手段を有し、前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力することを特徴とする。
【００２０】
前記インタフェースは、前記信号処理部からの出力信号を前記他のインタフェースに送信するようにすることができる。
【００２１】
前記信号処理装置は、前記第１の他の信号処理装置に対して装着される基板として形成されているようにすることができる。
【００２２】
前記信号処理装置は、前記信号処理部が前記第１の係数記憶部と導通状態となる第１の装着方向で装着されたときにユーザに視認可能な第１の位置に、前記第１の係数記憶部に記憶される係数に対応する機能を表す表示を行うとともに、前記信号処理部が前記第２の係数記憶部と導通状態となる第２の装着方向で装着されたときにユーザに視認可能な第２の位置に、前記第２の係数記憶部に記憶される係数に対応する機能を表す表示を行うようにすることができる。
【００２３】
本発明の第３の側面の信号処理方法は、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部とを備える信号処理装置の信号処理方法において、他の信号処理装置からの入力信号をインタフェースにより受信し、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を信号処理部により実行するステップを含み、前記他の信号処理装置は、入力信号に対して信号処理を施して、出力信号を出力する他の信号処理部と、前記インタフェースと無線または有線で通信する他のインタフェースと、前記出力信号および前記インタフェースにより受信された受信信号のいずれかを選択出力する制御部とを有し、前記他の信号処理装置は、前記信号処理装置を装着する装着手段を有し、前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力することを特徴とする。
【００２４】
本発明の第３の側面の記録媒体のプログラムは、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部とを備える信号処理装置を制御するコンピュータのプログラムであって、他の信号処理装置からの入力信号をインタフェースにより受信し、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を信号処理部により実行するステップを含み、前記他の信号処理装置は、入力信号に対して信号処理を施して、出力信号を出力する他の信号処理部と、前記インタフェースと無線または有線で通信する他のインタフェースと、前記出力信号および前記インタフェースにより受信された受信信号のいずれかを選択出力する制御部とを有し、前記他の信号処理装置は、前記信号処理装置を装着する装着手段を有し、前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力することを特徴とする。
【００２５】
本発明の第３の側面のプログラムは、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部とを備える信号処理装置を制御するコンピュータに、他の信号処理装置からの入力信号をインタフェースにより受信し、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を信号処理部により実行するステップを実行させ、前記他の信号処理装置は、入力信号に対して信号処理を施して、出力信号を出力する他の信号処理部と、前記インタフェースと無線または有線で通信する他のインタフェースと、前記出力信号および前記インタフェースにより受信された受信信号のいずれかを選択出力する制御部とを有し、前記他の信号処理装置は、前記信号処理装置を装着する装着手段を有し、前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記信号処理部は、前記入力信号と、導通状態とされた記憶部に記憶される係数との線形一次結合により得られた出力信号を出力することを特徴とする。
【００２６】
本発明の第１の側面においては、第１の信号処理装置と、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部とを備える第２の信号処理装置とからなる信号処理システムにおいて、第１の信号処理装置では、入力信号に対して第１の信号処理部により信号処理が施されて、出力信号が出力され、外部の装置と無線または有線で第１のインタフェースにより通信し、前記出力信号および前記第１のインタフェースにより受信された受信信号のいずれかが制御部により選択出力される。第２の信号処理装置では、前記第１の信号処理装置からの入力信号が第２のインタフェースにより受信され、入力信号の特徴に応じてクラスが決定され、当該クラスに対応する係数が前記第１の係数記憶部及び前記第２の係数記憶部のうちのいずれか一方から選択され、前記入力信号と選択された前記係数との線形一次結合により得られた出力信号が出力されるクラス分類適応処理が第２の信号処理部により実行され、前記第１の信号処理装置には、前記第２の信号処理装置を装着する装着手段がさらに設けられ、前記第２の信号処理装置が、前記第１の信号処理装置の前記装着手段に装着される装着方向に応じて、前記第２の信号処理部が、前記第１の係数記憶部及び第２の係数記憶部のうちのいずれか一方と導通状態とされることにより、前記入力信号と、導通状態とされた記憶部に記憶される係数との線形一次結合により得られた出力信号が前記第２の信号処理部により出力される。
【００２７】
本発明の第２の側面においては、入力信号に対して第１の信号処理部により信号処理が施されて、出力信号が出力され、第１の他の信号処理装置と第１のインタフェースにより無線または有線で通信し、前記出力信号および前記第１のインタフェースにより受信された受信信号のいずれかが制御部により選択出力され、前記第１の他の信号処理装置には、第１のインタフェースからの入力信号を受信する第２のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、入力信号の特徴に応じてクラスを決定し、当該クラスに対応する係数を前記第１の係数記憶部及び前記第２の係数記憶部のうちのいずれか一方から選択し、前記入力信号と選択された前記係数との線形一次結合により得られた出力信号を出力するクラス分類適応処理を実行する第２の信号処理部とが設けられ、更に、前記第１の他の信号処理装置を装着する装着手段が設けられ、前記第１の他の信号処理装置が、前記装着手段に装着される装着方向に応じて、前記第２の信号処理部が、前記第１の係数記憶部及び前記第２の係数記憶部のうちのいずれか一方と導通状態とされることにより、前記入力信号と、導通状態とされた記憶部に記憶される係数との線形一次結合により得られた出力信号が前記第２の信号処理部により出力される。
【００２８】
本発明の第３の側面においては、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部とを備える信号処理装置で、第１の他の信号処理装置からの入力信号がインタフェースにより受信され、入力信号の特徴に応じてクラスが決定され、当該クラスに対応する係数が前記第１の係数記憶部及び前記第２の係数記憶部のうちのいずれか一方から選択され、前記入力信号と選択された前記係数との線形一次結合により得られた出力信号が出力されるクラス分類適応処理が信号処理部により実行され、前記第１の他の信号処理装置では、入力信号に対して第１の他の信号処理部により信号処理が施されて、出力信号が出力され、前記インタフェースと他のインタフェースにより無線または有線で通信し、前記出力信号および前記インタフェースにより受信された受信信号のいずれかが制御部により選択出力され、前記第１の他の信号処理装置には、前記信号処理装置を装着する装着手段が設けられ、前記信号処理装置が、前記第１の他の信号処理装置の前記装着手段に装着される装着方向に応じて、前記信号処理部が、前記第１の係数記憶部及び前記前記第２の係数記憶部のうちのいずれか一方と導通状態とされることにより、前記入力信号と、導通状態とされた記憶部に記憶される係数との線形一次結合により得られた出力信号が前記信号処理部により出力される。
【００２９】
信号処理装置は、信号を有線および無線にて送信する送信専用装置であっても構わないし、信号を有線または無線にて受信することも可能な送受信装置であってもよい。
【発明の効果】
【００３０】
本発明によれば、信号処理の内容を変更することができるシステムを実現することが可能となる。特に、信号処理装置の信号処理の複数の機能を容易に選択し、利用することが可能となる。
【発明を実施するための最良の形態】
【００３１】
以下、図面を参照して本発明を適用した実施の形態について説明する。
【００３２】
図１は、本発明が適用される信号処理システムの構成例を表している。
【００３３】
図１に示されるように、信号処理システム１は、信号処理装置１１と、それに対して接続される基板として構成されるアルゴリズムベイ（商標）１２から構成される。
【００３４】
信号処理装置１１には、入力信号４１に、所定の信号処理を施して、出力信号４２として出力する信号処理部２１、および、アルゴリズムベイ１２と無線または有線で通信するインタフェース２２が設けられている。
【００３５】
アルゴリズムベイ１２には、上述した情報処理装置１１のインタフェース２２と無線または有線で通信するインタフェース３１、信号処理装置１１の信号処理部２１の信号処理の第１の機能を提供するための第１の機能提供部３２、および、第１の信号処理装置１１の信号処理部２１の信号処理の第２の機能を提供するための第２の機能提供部３３が設けられている。
【００３６】
アルゴリズムベイ１２にはまた、後述するように、アルゴリズムベイ１２の信号処理装置１１に対する接続形態に基づいて、第１の機能提供部３２より提供される第１の機能と、第２の機能提供部３３より提供される第２の機能のいずれか一方を選択し、インタフェース３１を介して信号処理装置１１に提供するセレクタ部３４が設けられている。
【００３７】
なお、図１の例では、アルゴリズムベイ１２が、信号処理装置１１に対して装着される基板として形成されているが、このアルゴリズムベイ１２を、基板の代わりに、第１の機能提供部３２、第２の機能提供部３３、および、セレクタ部３４を有する任意の装置として形成してもよい。
【００３８】
次に、信号処理システム１の動作の概略を説明する。
【００３９】
例えば、図２に示されるように、信号処理装置１１の正面１１Ａには、アルゴリズムベイ１２を装着するスロット５３が設けられ、スロット５３に装着されたアルゴリズムベイ１２のインタフェース３１（図１）と、信号処理装置１１のインタフェース２２（図１）が有線で接続される。
【００４０】
アルゴリズムベイ１２は、上面１２Ａに対して垂直な４つの端面である面１２Ｂ乃至１２Ｅを有している。アルゴリズムベイ１２は、その上面１２Ａがスロット５３の上面５３Ａと接するように装着される。
【００４１】
この場合において、図２の左側に示されているように、アルゴリズムベイ１２が、その面１２Ｂが、信号処理装置１１の正面１１Ａ側となるように、スロット５３に装着されたとき（アルゴリズムベイ１２の装着方向（接続形態）を、例えば、スロット５３の上面５３Ａと垂直な端面のうちの装着方向の面５３Ｂと接するアルゴリズムベイ１２の面で表すものとすると、アルゴリズムベイ１２の装着方向が、面１２Ｄのとき）、図１のセレクタ部３４は、信号処理装置１１の信号処理部２１の信号処理の機能として、第１の機能提供部３２より提供される第１の機能を選択し、インタフェース３１、および、インタフェース２２を介して信号処理部２１の機能を、選択した第１の機能に変更する。
【００４２】
これに対して、例えば、図２の中央に示されているように、アルゴリズムベイ１２が、その面１２Ｃが信号処理装置１１の正面１１Ａ側となるように、スロット５３に装着されたとき（アルゴリズムベイ１２の装着方向が、面１２Ｅのとき）、図１のセレクタ部３４は、信号処理装置１１の信号処理部２１の信号処理の機能として、第２の機能提供部３３より提供される第２の機能を選択し、インタフェース３１、および、インタフェース２２を介して信号処理部２１の機能を、選択した第２の機能に変更する。
【００４３】
なお、第１および第２の機能の具体例については、後述する。
【００４４】
また、図１の例では、アルゴリズムベイ１２により変更される、第１の信号処理装置１１の信号処理部２１の信号処理の機能は、第１および第２の機能の２つの機能とされているが、アルゴリズムベイ１２により変更される機能の数は、特に限定されるものではない。
【００４５】
例えば、図示はしないが、アルゴリズムベイ１２が、信号処理装置１１の信号処理部２１の信号処理の第３の機能を提供する第３の機能提供部をさらに有している場合、図２の右側に示されるように、アルゴリズムベイ１２が、その面１２Ｄが信号処理装置１１の正面１１Ａ側となるように、スロット５３に装着されたとき（アルゴリズムベイ１２の装着方向が、面１２Ｂのとき）、図１のセレクタ部３４は、信号処理装置１１の信号処理部２１の信号処理の機能として、第３の機能提供部より提供される第３の機能を選択し、インタフェース３１、および、インタフェース２２を介して信号処理部２１の機能を、選択した第３の機能に変更する。
【００４６】
また、信号処理装置１１とアルゴリズムベイ１２の接続形態は、上述したアルゴリズムベイ１２が信号処理装置１１に装着される形態に限定されず、複数の接続形態を取ることが可能な形態であればよい。
【００４７】
例えば、図１の信号処理システムにおいて、アルゴリズムベイ１２が信号処理装置１１に無線で接続される形態をとるものとすると（インタフェース２２とインタフェース３１が無線で接続されるものとすると）、アルゴリズムベイ１２のインタフェース（無線インタフェース）３１と信号処理装置１１のインタフェース（無線インタフェース）２２の間の距離（以下、そのような距離を、適宜、無線通信間距離と称する）により、アルゴリズムベイ１２の接続形態を区別することができる。
【００４８】
即ち、例えば、図３の左側に示されるように、アルゴリズムベイ１２と信号処理装置１１の無線通信間距離が、第１の長さ４３とされる場合（最も長い場合）、図１のセレクタ部３４は、信号処理装置１１の信号処理部２１の信号処理の機能として、第１の機能提供部３２より提供される第１の機能を選択し、インタフェース３１、および、インタフェース２２を介して信号処理部２１の機能を、選択した第１の機能に変更する。
【００４９】
これに対して、例えば、図３の中央に示されるように、アルゴリズムベイ１２と信号処理装置１１の無線通信間距離が、第２の長さ４４とされる場合（中間の長さである場合）、図１のセレクタ部３４は、信号処理装置１１の信号処理部２１の信号処理の機能として、第２の機能提供部３３より提供される第２の機能を選択し、インタフェース３１、および、インタフェース２２を介して信号処理部２１の機能を、選択した第２の機能に変更する。
【００５０】
また、上述したように、アルゴリズムベイ１２が、信号処理装置１１の信号処理部２１の信号処理の第３の機能を提供する第３の機能提供部をさらに有している場合、図３の右側に示されるように、アルゴリズムベイ１２と信号処理装置１１の無線通信間距離が、第３の長さ４５とされるとき（最も短いとき）、図１のセレクタ部３４は、信号処理装置１１の信号処理部２１の信号処理の機能として、第３の機能提供部（図示せず）より提供される第３の機能を選択し、インタフェース３１、および、インタフェース２２を介して信号処理部２１の機能を、選択した第３の機能に変更する。
【００５１】
以上、本発明が適用される信号処理システム１の概略について説明したが、信号処理システム１は、様々な実施形態が実現可能である。
【００５２】
そのような様々な実施形態の構成例が、図４、図７、図９、および、図１２にそれぞれ示されている。
【００５３】
そこで、以下、図４に示される信号処理システム１を、第１実施形態として、図７に示される信号処理システム１を、第２実施形態として、図９に示される信号処理システム１を、第３実施形態として、図１２に示される信号処理システム１を、第４実施形態として、それぞれ個別に説明する。
【００５４】
（第１実施形態）
図４は、本発明の第１実施形態が適用される信号処理システム１の構成例を表しており、図１のそれに対応する部分には、対応する符号が付してある。
【００５５】
第１実施形態においては、信号処理部２１は、コンポジット信号である入力信号４１を、コンポーネント信号に変換して、それを出力信号４２として出力する。
【００５６】
即ち、図４に示されるように、信号処理部２１には、信号処理部２１の全体の処理を制御する制御部５１、および、コンポジット信号である入力信号４１をコンポーネント信号に変換する１/３変換部５２が設けられている。
【００５７】
なお、コンポーネント信号は、例えば、輝度成分(Y)と２つの色差成分（青−輝度(B-Y)と赤−輝度(R-Y)）の３要素、あるいは、赤信号（R）、緑信号(G)、および、青信号(B)の３要素で構成される。コンポジット信号は、これらの３要素に対応する信号、同期信号、および、カラーバースト信号などを全てひとつに合成した信号であり、例えば、テレビジョン放送のNTSC（National Television System Committee）規格の信号などがコンポジット信号である。
【００５８】
従って、この例においては、１/３変換部５２は、１つのコンポジット信号を、３つの独立した信号（この例では、輝度成分の信号（Y信号）、青−輝度信号（B-Y信号）、および、赤−輝度信号（R-Y信号））から構成されるコンポーネント信号に変換することになるので、以下、そのような１/３変換部５２による処理を、１/３変換処理と称する。
【００５９】
図４のアルゴリズムベイ１２は、信号処理装置１１の１/３変換部５２により生成されたコンポーネント信号に対して、クラス分類適応処理を施し、その処理の結果（クラス分類適応処理が施されたコンポーネント信号）を、信号処理装置１１に提供する。
【００６０】
なお、クラス分類適応処理は、本出願人により先に提案された以下のような処理である。
【００６１】
即ち、クラス分類適応処理は、クラス分類処理と適応処理とからなり、クラス分類処理によって、信号（データ）が、その性質に基づいてクラス分けされ、各クラスごとに適応処理が施される。
【００６２】
なお、ここでは、クラス分類適応処理の一例として、例えば、画像信号に対する空間解像度を向上するための処理を説明する。具体的には、標準解像度の画像信号（以下、適宜、ＳＤ(Standard Definition)画像信号と称する）を、高解像度の画像信号（以下、適宜、ＨＤ(High Definition)画像信号と称する）に変換する空間解像度を向上するための適応処理について説明する。
【００６３】
この場合、適応処理では、ＳＤ画像を構成する画素（以下、適宜、ＳＤ画素という）と、所定のタップ係数との線形結合により、そのＳＤ画像の空間解像度を向上させたＨＤ画像の画素の予測値を求めることで、そのＳＤ画像の解像度を向上させた画像が得られる。
【００６４】
具体的には、例えば、いま、あるＨＤ画像を教師データとするとともに、そのＨＤ画像の解像度を劣化させたＳＤ画像を生徒データとして、ＨＤ画像を構成する画素（以下、適宜、ＨＤ画素という）の画素値ｙの予測値Ｅ［ｙ］を、幾つかのＳＤ画素（ＳＤ画像を構成する画素）の画素値ｘ1 ，ｘ2 ，・・の集合と、所定のタップ係数ｗ1 ，ｗ2 ，・・の線形結合により規定される線形１次結合モデルにより求めることを考える。この場合、予測値Ｅ［ｙ］は、式（１）で表される。
Ｅ［ｙ］＝ｗ1 ｘ1 ＋ｗ2 ｘ2 ＋・・・      （１）
【００６５】
式（１）を一般化するために、タップ係数ｗj の集合でなる行列Ｗ、生徒データｘijの集合でなる行列Ｘ、および予測値E［yi]の集合でなる行列Ｙ'を、式（２）で示されるように定義する。
【００６６】
【数１】
2008199687.tif 000003
【００６７】
式（２）に示されるように定義すると、式（３）に示されるような観測方程式が成立する。
ＸＷ＝Ｙ'    ・・・（３）
【００６８】
式（３）において、行列Ｘの成分ｘijは、ｉ件目の生徒データの集合（ｉ件目の教師データｙi の予測に用いる生徒データの集合）の中のｊ番目の生徒データを意味し、行列Ｗの成分ｗj は、生徒データの集合の中のｊ番目の生徒データとの積が演算されるタップ係数を表す。また、ｙi は、ｉ件目の教師データを表し、従って、Ｅ［ｙi ］は、ｉ件目の教師データの予測値を表す。なお、式（１）の左辺におけるｙは、行列Ｙの成分ｙi のサフィックスｉを省略したものであり、また、式（１）の右辺におけるｘ1 ，ｘ2 ，・・も、行列Ｘの成分ｘijのサフィックスｉを省略したものである。
【００６９】
そして、この観測方程式に最小自乗法を適用して、ＨＤ画素の画素値ｙに近い予測値Ｅ［ｙ］を求めることを考える。この場合、教師データとなるＨＤ画素の真の画素値ｙの集合でなる行列Ｙ、およびＨＤ画素の画素値ｙに対する予測値Ｅ［ｙ］の残差ｅの集合でなる行列Ｅを、定義すると、式（４）に示されるようになる。
【００７０】
【数２】
2008199687.tif 000004
【００７１】
この式（４）から、式（５）に示されるような残差方程式が成立する。
ＸＷ＝Ｙ＋Ｅ    ・・・（５）
【００７２】
この場合、ＨＤ画素の画素値ｙに近い予測値Ｅ［ｙ］を求めるためのタップ係数ｗj は、式（６）で示される自乗誤差を最小にすることで求めることができる。
【００７３】
【数３】
2008199687.tif 000005
【００７４】
従って、上述した自乗誤差をタップ係数ｗj で微分したものが０になる場合、即ち、式（７）を満たすタップ係数ｗj が、ＨＤ画素の画素値ｙに近い予測値Ｅ［ｙ］を求めるため最適値ということになる。
【００７５】
【数４】
2008199687.tif 000006
【００７６】
そこで、まず、上述した式（５）を、タップ係数ｗj で微分することにより、式（８）が成立する。
【００７７】
【数５】
2008199687.tif 000007
【００７８】
上述した式（７）と式（８）より、式（９）が得られる。
【００７９】
【数６】
2008199687.tif 000008
【００８０】
さらに、上述した式（５）の残差方程式における生徒データｘij、タップ係数ｗj 、教師データｙi 、および残差ｅi の関係を考慮すると、式（９）から、式（１０）に示されるような正規方程式を得ることができる。
【００８１】
【数７】
2008199687.tif 000009
【００８２】
式（１０）に示される正規方程式においては、行列（共分散行列）Ａおよびベクトルｖを、式（１１）に示されるように定義する。
【００８３】
【数８】
2008199687.tif 000010
【００８４】
さらに、ベクトルＷを、上述した式（２）で示されるように定義すると、式（１０）は、式（１２）で示されるように表すことができる。
ＡＷ＝ｖ      ・・・（１２）
【００８５】
上述した式（１０）における各正規方程式は、生徒データｘijおよび教師データｙi のセットを、ある程度の数だけ用意することで、求めるべきタップ係数ｗj の数Ｊと同じ数だけたてることができ、従って、上述した式（１２）を、ベクトルＷについて解くことで（ただし、式（１２）を解くには、式（１２）における行列Ａが正則である必要がある）、最適なタップ係数ｗj を求めることができる。なお、式（１２）を解くにあたっては、例えば、掃き出し法（Gauss-Jordanの消去法）などを用いることが可能である。
【００８６】
以上のように、生徒データと教師データを用いて、生徒データとタップ係数から、教師データを予測するのに最適なタップ係数ｗj を求める学習をしておき、さらに、そのタップ係数ｗj を用い、上述した式（１）により、教師データｙに近い予測値Ｅ［ｙ］を求めるのが適応処理である。
【００８７】
なお、適応処理は、ＳＤ画像には含まれていないが、ＨＤ画像に含まれる成分が再現される点で、例えば、単なる補間処理とは異なる。即ち、適応処理では、上述した式（１）だけを見る限りは、いわゆる補間フィルタを用いての補間処理と同一に見えるが、その補間フィルタのタップ係数に相当するタップ係数ｗが、教師データと生徒データを用いての学習により求められるため、ＨＤ画像に含まれる成分を再現することができる。このことから、上述したような適応処理は、いわば画像の創造（解像度創造）作用がある処理と称することができる。
【００８８】
従って、以下、上述したような適応処理を、他の適応処理と区別するために、解像度創造適応処理と称する。また、解像度創造適応処理を行う場合に利用するタップ係数（上述したようなタップ係数）を、解像度創造用係数と称する。
【００８９】
さらに、上述した例では、適応処理について、空間解像度を向上させる場合を例にして説明したが、適応処理によれば、教師データおよび生徒データを変えて学習を行うことにより得られる種々のタップ係数を用いることで、例えば、Ｓ／Ｎ(Signal to Noise Ratio) の向上や、ぼけの改善、その他の各種の処理を行うことが可能である。
【００９０】
即ち、例えば、Ｓ／Ｎの向上やぼけの改善を、適応処理によって行うには、Ｓ／Ｎの高い画像データを教師データとするとともに、その教師データのＳ／Ｎを低下させた画像（あるいは、ぼかした画像）を生徒データとして、タップ係数を求めればよい。
【００９１】
このような適応処理を、以下、他の適応処理と区別するために、ノイズ除去適応処理と称する。また、ノイズ除去適応処理で利用するタップ係数を、以下、ノイズ除去用係数と称する。
【００９２】
なお、解像度創造適応処理および解像度創造用係数、並びに、ノイズ除去適応処理およびノイズ除去用係数の詳細については、本出願人により先に出願された特願２００１−１１０６９５号に開示されている。
【００９３】
以上、クラス分類適応処理の概略について説明したが、そのようなクラス分類適応処理を行うのが、図４のアルゴリズムベイ１２である。
【００９４】
即ち、アルゴリズムベイ１２には、インタフェース３１、信号処理装置１１より供給されるコンポーネント信号（１/３変換部５２により生成され、制御部５１、インタフェース２２、および、インタフェース３３を介して供給されるコンポーネント信号）の特徴を検出し、その特徴に対応するクラスを決定する（上述したクラス分類処理を行う）特徴検出部６１、および、特徴検出部６１により決定されたクラスに対応する所定のタップ係数を用いて、信号処理装置１１より供給されるコンポーネント信号に対して、上述した適応処理を施し、インタフェース３１を介して信号処理装置１１に供給する適応処理部６２が設けられている。
【００９５】
アルゴリズムベイ１２にはまた、適応処理部６２による適応処理で利用するタップ係数を選択するためのスイッチ６３−１、および、スイッチ６３−２、適応処理部６２による解像度創造適応処理で利用する解像度創造用係数を記憶する解像度創造用係数記憶部６４、並びに、適応処理部６２によるノイズ除去適応処理で利用するノイズ除去用係数を記憶するノイズ除去用係数記憶部６５が設けられている。
【００９６】
この例においては、スイッチ６３−１、および、スイッチ６３−２のそれぞれは、例えば、図５に示されるように、アルゴリズムベイ１２の上面１２A（または、上面１２Aに対向する面）上に形成され、信号処理装置１１のスロット５３の上面５３Ａ上に形成されている導電部５４と接することにより、その両端部が導通することでオンするメカニカルスイッチとされる。
【００９７】
即ち、スロット５３にアルゴリズムベイ１２が装着されると、アルゴリズムベイ１２の装着方向により、アルゴリズムベイ１２のスイッチ６３−１、または、６３−２のいずれかと、導電部５４が接するように構成されている。
【００９８】
なお、上述したように、ここでは、装着方向は、スロット５３の面５３Ｂと接するアルゴリズムベイ１２の面で表される。
【００９９】
即ち、アルゴリズムベイ１２が、その装着方向が面１２Ｄとなるように（図５に示されているように）、信号処理装置１１のスロット５３に装着されると、スイッチ６３−１が導電部５４と接触してオン状態となる。
【０１００】
これに対して、アルゴリズムベイ１２が、その装着方向が面１２Ｅとなるように（図２の中央に示されているように）、信号処理装置１１のスロット５３に装着されると、スイッチ６３−２が導電部５４と接触してオン状態となる。
【０１０１】
なお、この例においては、例えば、図５に示されるように、アルゴリズムベイ１２の側面１２Ｂには、「第１の機能」という文字が、側面１２Ｃには、「第２の機能」という文字が、それぞれ印刷されている。
【０１０２】
これらの文字は、ユーザ等が、アルゴリズムベイ１２を信号処理装置１１に装着する場合、その装着方向に対応する機能を容易に判別することができるように印刷されているものである。
【０１０３】
即ち、例えば、ユーザが、「第１の機能」と印刷されている面１２Ｂを信号処理装置１１の正面１１Ａ側に向けるように（装着方向を、面１２Ｄとするように）、アルゴリズムベイ１２を信号処理装置１１のスロット５３に装着する場合、ユーザは、装着されたアルゴリズムベイ１２の面１２Ｂに印刷された「第１の機能」という文字を視認することにより、その「第１の機能」という文字に対応する機能（アルゴリズムベイ１２の装着方向により変化する機能のうちの１つ）を判別することができる。
【０１０４】
なお、図５の例では、「第１の機能」という文字に対応する機能は、スイッチ６３−１がオン状態となる場合の機能、即ち、図４のアルゴリズムベイ１２の適応処理部６２が、解像度創造用係数記憶部６４に記憶されている解像度創造用係数を利用して、解像度創造適応処理を行う機能を表している。
【０１０５】
これに対して、例えば、ユーザが、「第２の機能」と印刷されている面１２Ｃを信号処理装置１１の正面１１Ａ側に向けるように（装着方向を、面１２Ｅとするように）、アルゴリズムベイ１２を信号処理装置１１のスロット５３に装着する場合、ユーザは、装着されたアルゴリズムベイ１２の面１２Ｃに印刷された「第２の機能」という文字を視認することにより、その「第２の機能」という文字に対応する機能（アルゴリズムベイ１２の装着方向により変化する機能のうちの１つ）を判別することができる。
【０１０６】
なお、図５の例では、「第２の機能」という文字に対応する機能は、スイッチ６３−２がオン状態となる場合の機能、即ち、図４のアルゴリズムベイ１２の適応処理部６２が、ノイズ除去用係数記憶部６５に記憶されているノイズ除去用係数を利用して、ノイズ除去適応処理を行う機能を表している。
【０１０７】
また、図５の例では、文字により、それに対応する機能をユーザに視認させるようになされているが、この例に限定されず、アルゴリズムベイ１２が、第１の接続形態（第１の装着方向）に対応する第１の位置（例えば、面１２Ｂ）に、第１の機能を表す表示を行うとともに、第２の接続形態（第２の装着方向）に対応する第２の位置（例えば、面１２Ｃ）に、第２の機能を表す表示を行う方式であればよい。
【０１０８】
また、図４の例では、図５のスイッチ６３−３とスイッチ６３−４は、未使用とされているが、後述するように、これらの未使用のスイッチを利用することにより、アルゴリズムベイ１２は、さらに様々な情報（機能）を、信号処理装置１１に提供することが可能になる。
【０１０９】
次に、図６のフローチャートを参照して、図４の信号処理システム１の処理例について説明する。
【０１１０】
なお、この例においては、例えば、入力信号４１は、コンポジット信号とされる。
【０１１１】
ステップＳ１において、信号処理装置１１の１/３変換部５２は、コンポジット信号（入力信号４１）をコンポーネント信号に変換し、制御部５１に提供する。
【０１１２】
ステップＳ２において、制御部５１は、アルゴリズムベイ１２が装着されているか否かを判定する。
【０１１３】
ステップＳ２において、アルゴリズムベイ１２が装着されていないと判定した場合、制御部５１は、ステップＳ３において、ステップＳ１の処理で１/３変換部５２より供給されたコンポーネント信号を、出力信号４２としてそのまま出力する。
【０１１４】
これに対して、ステップＳ２において、アルゴリズムベイ１２が装着されていると判定した場合、制御部５１は、ステップＳ１の処理で１/３変換部５２より供給されたコンポーネント信号を、インタフェース２２、および、アルゴリズムベイ１２のインタフェース３１を介して特徴検出部６１に供給する。このとき、ステップＳ４において、アルゴリズムベイ１２の特徴検出部６１は、供給されたコンポーネント信号の特徴を検出し、検出した特徴に基づいて、そのコンポーネント信号のクラスを決定する。特徴検出部６１は、コンポーネント信号のクラスを決定すると、そのクラスに対応するクラスコードを適応処理部６２に供給する。
【０１１５】
ステップＳ５において、適応処理部６２は、アルゴリズムベイ１２の信号処理装置１１に対する装着方向に応じて導電された係数記憶部に記憶された係数のうちの、ステップＳ４の処理で特徴検出部６１により決定されたクラスに対応する係数を利用して、コンポーネント信号に適応処理を施し、インタフェース３１、および、信号処理装置１１のインタフェース２２を介して制御部５１に供給する。
【０１１６】
具体的には、スイッチ６３−１がオン状態になるような接続形態で（接続方向が、面１２Ｄとなるように）、アルゴリズムベイ１２が信号処理装置１１のスロット５３に装着されている場合、適応処理部６２は、解像度創造用係数記憶部６４に記憶されている解像度創造用係数を利用して、信号処理装置１１より供給されたコンポーネント信号に、解像度創造適応処理を施し、インタフェース３１を介して信号処理装置１１に供給する。
【０１１７】
これに対して、スイッチ６３−２がオン状態になるような接続形態で（接続方向が、面１２Ｅとなるように）、アルゴリズムベイ１２が信号処理装置１１のスロット５３に装着されている場合、適応処理部６２は、ノイズ除去用係数記憶部６５に記憶されているノイズ除去用係数を利用して、信号処理装置１１より供給されたコンポーネント信号に、ノイズ除去適応処理を施し、インタフェース３１を介して信号処理装置１１に供給する。
【０１１８】
換言すると、図４の信号処理装置１１は、コンポジット信号である入力信号４１を、コンポーネント信号に変換し、さらに、解像度創造適応処理（第１の係数である解像度創造用係数を利用するクラス分類適応処理）を施して、出力信号４２として出力する第１の機能と、コンポジット信号である入力信号４１を、コンポーネント信号に変換し、さらに、ノイズ除去適応処理（第２の係数であるノイズ除去用係数を利用するクラス分類適応処理）を施して、出力信号４２として出力する第２の機能を有している。
【０１１９】
これらの第１および第２の機能は、アルゴリズムベイ１２のスイッチ６３−１とスイッチ６３−２により選択される。換言すると、アルゴリズムベイ１２の信号処理装置１１に対する接続形態（装着方向）に応じて、信号処理装置１１の信号処理の機能は、第１または第２の機能のいずれかに変更される。
【０１２０】
なお、上述したように、アルゴリズムベイ１２が変更する信号処理装置１１の信号処理の機能の数は、特に限定されない。例えば、図４の例では、図５に示されるように、２つのスイッチ６３−３、および、スイッチ６３−４が未使用とされているので、図示はしないが、これらの２つのそれぞれに、新たなタップ係数記憶部を接続することで、アルゴリズムベイ１２は、さらに２つの新たな機能（クラス分類適応処理の新たな２つの機能のそれぞれに対応する処理結果（信号）を出力する機能）を信号処理装置１１に提供することができる。
【０１２１】
そして、ステップＳ６において、信号処理装置１１の制御部５１は、ステップＳ５の処理でアルゴリズムベイ１２の適応処理部６２により適応処理が施されたコンポーネント信号を、出力信号４２として出力する。
【０１２２】
ステップＳ７において、制御部５１は、全ての入力信号４１が処理されたか否かを判定する。
【０１２３】
制御部５１は、まだ全ての入力信号４１が処理されていないと判定した場合、その処理を、ステップＳ１に戻し、それ以降の処理を繰り返す。即ち、全てのコンポジット信号である入力信号４１が、コンポーネント信号に変換されて（必要に応じてさらに、クラス分類適応処理が施されて）、出力信号４２として外部に出力される。
【０１２４】
そして、全ての入力信号４１がコンポーネント信号に変換されると（最後の出力信号４２が出力されると）、ステップＳ７において、全ての入力信号４１が処理されたと判定され、その処理が終了される。
【０１２５】
（第２実施形態）
図７は、本発明の第２実施形態が適用される信号処理システム１の構成例を表しており、図４のそれに対応する部分には、対応する符号が付してある。
【０１２６】
図７の信号処理装置１１の信号処理部２１は、図４のそれと基本的に同一の構成とされる。
【０１２７】
ただし、インタフェース２２は、有線ではなく無線インタフェースとされる。即ち、信号処理装置１１とアルゴリズムベイ１２とは無線により接続される。
【０１２８】
従って、上述したように、第１実施形態（図４）においては、信号処理装置１１とアルゴリズムベイ１２の接続形態は、アルゴリズムベイ１２の信号処理装置１１に対する装着方向とされたが、第２実施形態（図７）においては、信号処理装置１１とアルゴリズムベイ１２の接続形態は、図３に示されるように、信号処理装置１１とアルゴリズムベイ１２の無線通信間距離（無線インタフェース２２と無線インタフェース３１の間の距離）とされる。
【０１２９】
このため、図７の例では、信号処理装置１１にはさらに、この無線通信間距離を検出する距離検出部７１が設けられている。
【０１３０】
距離検出部７１の無線通信間距離の検出方法は、特に限定されないが、例えば、電波（電界）強度、無線通信のエラー率（パケットロス）、または、クロックの位相差等に基づいて、無線通信間距離を検出することができる。
【０１３１】
図７のアルゴリズムベイ１２の機能は、図４のアルゴリズムベイ１２のそれと基本的に同一とされる。
【０１３２】
従って、図７のアルゴリズムベイ１２にも、図４のそれと同様に、特徴検出部６２、適応処理部６２、解像度創造用係数記憶部６４、および、ノイズ除去用係数記憶部６５が設けられている。
【０１３３】
ただし、上述したように、第２実施形態では、信号処理装置１１とアルゴリズムベイ１２は無線により接続されるので、インタフェース３１は、有線でなく無線インタフェースとされる。
【０１３４】
また、上述したように、信号処理装置１１とアルゴリズムベイ１２の接続形態は、信号処理装置１１とアルゴリズムベイ１２の無線通信間距離とされるので、図７の構成例においては、図４のスイッチ６３−１、および、スイッチ６３−２の代わりに、スイッチ８１が設けられている。
【０１３５】
スイッチ８１は、信号処理装置１１の制御部５１の無線制御（無線インタフェース２２と無線インタフェース３１を介する制御）により、そのスイッチ（導電方向）が切り換えられる。即ち、制御部５１は、距離検出部７１により検出された無線通信間距離に基づいて、スイッチ８１を、解像度創造用係数記憶部６４側、または、ノイズ除去用係数記憶部６５側のいずれか一方に切り換える。
【０１３６】
図７の信号処理システム１の処理は、図８のフローチャートに示されているが、その基本的な処理は、図４のそれと同一である。即ち、図８のステップＳ２１乃至Ｓ２９のそれぞれの基本的な処理は、上述した図６の対応する処理（ステップＳ１乃至Ｓ７のうちの対応する処理）と同一の処理である。
【０１３７】
ただし、図８のステップＳ２４乃至Ｓ２８の処理は、図６のステップＳ４乃至Ｓ６の処理と若干異なる。そこで、以下、図８のステップＳ２４乃至Ｓ２８の処理についてのみ説明する。
【０１３８】
即ち、ステップＳ２２において、図７のアルゴリズムベイ１２が無線接続されていると判定された場合、ステップＳ２４において、信号処理装置１１の距離検出部７１は、制御部５１の制御に基づいて、無線インタフェース間の距離（無線インタフェース２２と無線インタフェース３１の間の距離）を検出し、制御部５１に供給する。
【０１３９】
なお、この例のステップＳ２２の処理においては、例えば、制御部５１が、アルゴリズムベイ１２と無線インタフェース２２を介して無線通信することができるか（距離検出部７１により検出される電波（電界）強度が所定のレベル以上であるか）否かにより、アルゴリズムベイ１２が無線接続されているか否かを判定するものとする。
【０１４０】
ステップＳ２５において、制御部５１は、ステップＳ２４の処理で距離検出部７１により検出された距離に応じて、アルゴリズムベイ１２の係数記憶部のスイッチ８１を、無線インタフェース２２および無線インタフェース３１を介して切り換える。
【０１４１】
このとき、制御部５１は、ステップＳ２１の処理で１/３変換部５２より供給されたコンポーネント信号を、無線インタフェース２２、および、アルゴリズムベイ１２の無線インタフェース３１を介して特徴検出部６１と適応処理部６２に供給すると、ステップＳ２６において、特徴検出部６１は、供給されたコンポーネント信号の特徴を検出し、そのクラスを決定し、適応処理部６２に供給する。
【０１４２】
ステップＳ２７において、適応処理部６２は、スイッチ８１が切り換えられた方向の（スイッチが入った）係数記憶部に記憶された係数のうちの、ステップＳ２６の処理で特徴検出部６１により決定されたクラスに対応する係数を利用して、コンポーネント信号に適応処理を施し、無線インタフェース３１、および、信号処理装置１１の無線インタフェース２２を介して制御部５１に供給する。
【０１４３】
具体的には、スイッチ８１が、解像度創造用係数記憶部６４側に切り換えられている場合、適応処理部６２は、解像度創造用係数記憶部６４に記憶されている解像度創造用係数を利用して、信号処理装置１１より供給されたコンポーネント信号に、解像度創造適応処理を施し、無線インタフェース３１を介して信号処理装置１１に無線で供給する。
【０１４４】
これに対して、スイッチ８１が、ノイズ除去用係数記憶部６５側に切り換えられている場合、適応処理部６２は、ノイズ除去用係数記憶部６５に記憶されているノイズ除去用係数を利用して、信号処理装置１１より供給されたコンポーネント信号に、ノイズ除去適応処理を施し、無線インタフェース３１を介して信号処理装置１１に無線で供給する。
【０１４５】
そして、ステップＳ２８において、信号処理装置１１の制御部５１は、ステップＳ２７の処理でアルゴリズムベイ１２の適応処理部６２により適応処理が施されたコンポーネント信号を、出力信号４２として出力する。
【０１４６】
（第３実施形態）
以上、第１と第２実施形態においては、信号処理装置１１の信号処理の機能として、アルゴリズムベイ１２によりクラス分類適応処理が施された信号を出力する例を説明した。即ち、アルゴリズムベイ１２の信号処理装置１１に対する接続形態に応じて、アルゴリズムベイ１２のクラス分類適応処理に利用するタップ係数が変化する（クラス分類適応処理の機能が変化する）ことで、信号処理装置１１の機能が変化する例について説明した。
【０１４７】
これに対して、第３実施形態と、後述する第４実施形態においては、アルゴリズムベイ１２の信号処理装置１１に対する接続形態と、協調分担先の機器が関連付けられており、その接続形態に応じて、対応する協調分担先の機器が特定され、信号処理装置１１の信号処理の機能が、特定した協調分担先に応じた機能に変更される。
【０１４８】
図９は、本発明の第３実施形態が適用される信号処理システム１の構成例を表しており、図１のそれに対応する部分には、対応する符号が付してある。
【０１４９】
信号処理装置１１には、信号処理部２１、アルゴリズムベイ１２と無線通信を行う無線インタフェース２２、信号処理装置１１とアルゴリズムベイ１２の無線通信間距離を検出する距離検出部１１４、および、協調分担先であるＤＶＤ（Digital Versatile Disk）プレーヤ９１と相互に通信を行うインタフェース１１５が設けられている。
【０１５０】
信号処理部２１には、１/３変換部１１１、制御部１１２、および、スイッチ１１３が設けられている。
【０１５１】
スイッチ１１３は、制御部１１２の制御に基づいて切り換えられ、スイッチ１１３が１/３変換部１１１側に切り換えられている場合、１/３変換部１１１より出力されるコンポーネント信号（コンポジット信号である入力信号４１が、１/３変換部１１１により変換されたコンポーネント信号）が、出力信号４２として出力される。これに対して、スイッチ１１３が制御部１１２側に切り換えられている場合、制御部１１２より出力されるコンポーネント信号（後述するアルゴリズムベイ１２より供給されるコンポーネント信号）が、出力信号４２として出力される。
【０１５２】
図９のアルゴリズムベイ１２の構成は、上述した図７のそれと基本的に同一とされる。即ち、図９の無線インタフェース３１、特徴検出部１２１、適応処理部１２２、および、スイッチ１２３のそれぞれは、図７の無線インタフェース３１、特徴検出部６１、適応処理部６２、および、スイッチ８１のそれぞれと基本的に同一とされる。ただし、図７の係数記憶部は、解像度創造用係数記憶部６４と、ノイズ除去用係数記憶部６５とされたが、図９の係数記憶部は、1/3変換および解像度創造用係数記憶部１２４と、解像度創造用係数記憶部１２５とされる。
【０１５３】
以下、1/3変換および解像度創造用係数記憶部１２４に記憶されるタップ係数について、簡単に説明する。
【０１５４】
即ち、適応処理部１２２は、コンポジット信号をコンポーネント信号に変換する処理（１/３変換）と、空間解像度を向上する処理を、適応処理によって一括して施すことができる。この場合、タップ係数は、コンポーネント信号のＨＤ信号を教師データとするとともに、その教師データの空間解像度を低下させ、さらにコンポジット信号に変換したＳＤ信号を生徒データとして、上述した方式に従って求められる。
【０１５５】
なお、以下、そのような適応処理を、他の適応処理と区別するために、1/3変換および解像度創造適応処理と称する。また、1/3変換および解像度創造適応処理で利用するタップ係数（上述したようにして求められたタップ係数）を、1/3変換および解像度創造用係数と称する。
【０１５６】
この1/3変換および解像度創造用係数を記憶しているのが、1/3変換および解像度創造用係数記憶部１２４である。
【０１５７】
協調分担先であるDVDプレーヤ９１には、MPEG(Moving Picture Experts Group)方式により符号化された画像データ（DVDに記録されている画像データ）を読出し、それをデコードして、コンポーネント信号として出力するMPEGデコード部１０１、並びに、MPEGデコード部１０１より供給されたコンポーネント信号に対して、上述したクラス分類適応処理を施す特徴検出部１０２、および、適応処理部１０３が設けられている。
【０１５８】
DVDプレーヤ９１にはまた、適応処理部１０３による適応処理で利用するタップ係数を選択するためのスイッチ１０６、適応処理部１０３による解像度創造適応処理で利用する解像度創造用係数を記憶する解像度創造用係数記憶部１０４、適応処理部１０３によるノイズ除去適応処理で利用するノイズ除去用係数を記憶するノイズ除去用係数記憶部１０５、および、信号処理装置１１のインタフェース１１５と相互に通信するインタフェース１０７が設けられている。
【０１５９】
スイッチ１０６は、通常、解像度創造用係数記憶部１０４側に切り換えられているが、DVDプレーヤ９１がアルゴリズムベイ１２と協調分担してクラス分類適応処理を施す場合、信号処理装置１１の制御部１１２のインタフェース１１５およびインタフェース１０７を介する制御により、ノイズ除去用係数記憶部１０５側に切り換えられる。
【０１６０】
次に、図１０と図１１のフローチャートを参照して、図９の信号処理システム１の処理例について説明する。
【０１６１】
なお、ここでは、信号処理装置１１のインタフェース１１５とＤＶＤプレーヤ９１のインタフェース１０７は、予め接続されているものとする。
【０１６２】
図１０のステップＳ４１において、信号処理装置１１の信号処理部２１は、コンポジット信号（入力信号４１）を入力する。
【０１６３】
ステップＳ４２において、信号処理部２１の制御部１１２は、アルゴリズムベイ１２が無線接続されているか否かを判定する。
【０１６４】
ステップＳ４２において、アルゴリズムベイ１２が無線接続されていないと判定した場合、制御部１１２は、ステップＳ４３において、１/３変換部１１１からのコンポーネント信号を、出力信号４２として出力する。
【０１６５】
具体的には、制御部１１２は、スイッチ１１３を、１/３変換部１１１側に切り換える。これにより、入力信号４１は、１/３変換部１１１によりコンポーネント信号に変換され、出力信号４２として外部に出力される。
【０１６６】
これに対して、ステップＳ４２において、アルゴリズムベイ１２が無線接続されていると判定された場合、ステップＳ４５において、距離検出部１１４は、制御部１１２の制御に基づいて、無線インタフェース間の距離（無線インタフェース２２と無線インタフェース３１の間の距離）を検出し、制御部１１２に供給する。
【０１６７】
図１１のステップＳ４６において、制御部１１２は、信号処理装置１１が、ステップＳ４５（図１０）の処理で距離検出部１１４により検出された無線インタフェース間の距離に応じた協調分担先（DVDプレーヤ９１）に接続されているか否かを判定する。
【０１６８】
即ち、この例においては、例えば、アルゴリズムベイ１２の信号処理装置１１に対する所定の接続形態（第１の無線通信間距離（ただし、一定の範囲内に含まれる距離））に対して、アルゴリズムベイ１２とクラス分類適応処理を協調分担するDVDプレーヤ９１が割り当てられているものとする。この場合、制御部１１２は、距離検出部１１４により検出された無線インタフェース間の距離が、第１の無線通信間距離であるとき、信号処理装置１１が、無線インタフェース間の距離に応じた協調分担先（DVDプレーヤ９１）に接続されていると判定する。
【０１６９】
これに対して、制御部１１２は、距離検出部１１４により検出された無線インタフェース間の距離が、第１の無線通信間距離以外の場合（第２の無線通信間距離の場合）、信号処理装置１１が、無線インタフェース間の距離に応じた協調分担先（DVDプレーヤ９１）に接続されていないと判定する。
【０１７０】
例えば、いま、ステップＳ４６において、信号処理装置１１が、無線インタフェース間の距離に応じた協調分担先（DVDプレーヤ９１）に接続されていると判定された場合、ステップＳ４７乃至Ｓ５１、および、Ｓ５６の処理が実行されて、DVDプレーヤ９１（MPEGデコード部１０１）からのコンポーネント信号に、DVDプレーヤ９１とアルゴリズムベイ１２の協調分担によるクラス分類適応処理が施され、それが出力信号４２として外部に出力される。
【０１７１】
即ち、ステップＳ４７において、制御部１１２は、無線インタフェース２２、および、無線インタフェース３１を介して、アルゴリズムベイ１２のスイッチ１２３を、解像度創造用係数記憶部１２５側に切り換える。
【０１７２】
ステップＳ４８において、制御部１１２は、インタフェー１１５、および、インタフェース１０７を介して、ＤＶＤプレーヤ９１のスイッチ１０６を、ノイズ除去用係数記憶部１０５側に切り換える。
【０１７３】
これにより、ＤＶＤプレーヤ９１のMPEGデコード部１０１より出力されたコンポーネント信号が、特徴検出部１０２、および、適応処理部１０３によりクラス分類適応処理が施され（ノイズ除去用係数記憶部１０５に記憶されているノイズ除去用係数を利用して、ノイズ除去適応処理が施され）、インタフェース１０７、および、信号処理装置１１のインタフェース１１５を介して制御部１１２に供給される。
【０１７４】
制御部１１２に供給されたDVDプレーヤ９１からのコンポーネント信号は、さらに、無線インタフェース２２、および、アルゴリズムベイ１２の無線インタフェース３１を介して、特徴検出部１２１と適応処理部１２２に供給される。
【０１７５】
このとき、ステップＳ５０において、特徴検出部１２１は、供給されたDVDプレーヤ９１からのコンポーネント信号の特徴を検出し、そのクラスを決定し、適応処理部１２２に供給する。
【０１７６】
ステップＳ５１において、適応処理部１２２は、解像度創造用係数記憶部１２５に記憶されている係数のうちの、ステップＳ５０の処理で特徴検出部１２１により決定されたクラスに対応する係数（解像度創造用係数）を利用して、DVDプレーヤ９１からのコンポーネント信号に適応処理（解像度創造適応処理）を施し、無線インタフェース３１、および、信号処理装置１１の無線インタフェース２２を介して制御部１１２に供給する。
【０１７７】
ステップＳ５６において、信号処理装置１１の制御部１１２は、スイッチ１１３を、制御部１１２自身側に切り換え、アルゴリズムベイ１２からのコンポーネント信号（ステップＳ５１の処理でアルゴリズムベイ１２より供給された、DVDプレーヤ９１からのコンポーネント信号）を、出力信号４２として出力する。
【０１７８】
これに対して、例えば、ステップＳ４６において、信号処理装置１１が、無線インタフェース間の距離に応じた協調分担先（DVDプレーヤ９１）に接続されていないと判定された場合、ステップＳ５２乃至Ｓ５６の処理が実行されて、コンポジット信号（入力信号４１）が、アルゴリズムベイ１２により、コンポーネント信号に変換されるとともに、クラス分類適応処理（ただし、解像度創造適応処理のみ）が施されて、それが出力信号４２として外部に出力される。
【０１７９】
即ち、ステップＳ５２において、制御部１１２は、無線インタフェース２２、および、無線インタフェース３１を介して、アルゴリズムベイ１２のスイッチ１２３を、1/3変換および解像度創造用係数記憶部１２４側に切り換える。
【０１８０】
ステップＳ５３において、制御部１１２は、図１０のステップＳ４１の処理で入力したコンポジット信号（入力信号４１）を、アルゴリズムベイ１２に供給する（無線インタフェース２２、および、アルゴリズムベイ１２の無線インタフェース３１を介して、特徴検出部１２１と適応処理部１２２に供給する）。
【０１８１】
ステップＳ５４において、特徴検出部１２１は、供給されたコンポジット信号（入力信号４１）の特徴を検出し、そのクラスを決定し、適応処理部１２２に供給する。
【０１８２】
ステップＳ５５において、適応処理部１２２は、1/3変換および解像度創造用係数記憶部１２４に記憶されている係数のうちの、ステップＳ５４の処理で特徴検出部１２１により決定されたクラスに対応する係数（1/3変換および解像度創造用係数）を利用して、コンポジット信号（入力信号４１）に適応処理（1/3変換および解像度創造適応処理）を施し、コンポーネント信号にする。
【０１８３】
このコンポーネント信号は、無線インタフェース３１、および、信号処理装置１１の無線インタフェース２２を介して制御部１１２に供給される。
【０１８４】
ステップＳ５６において、信号処理装置１１の制御部１１２は、スイッチ１１３を、制御部１１２自身側に切り換え、アルゴリズムベイ１２からのコンポーネント信号（ステップＳ５５の処理でアルゴリズムベイ１２より供給された、入力信号４１（コンポジット信号）に対応するコンポーネント信号）を、出力信号４２として出力する。
【０１８５】
図１０に戻り、ステップＳ４３、または、図１１のステップ５６の処理が実行された後、ステップ４４において、制御部１１２は、全ての信号（入力信号４１、または、ＤＶＤプレーヤ９１からの信号）が処理されたか否かを判定する。
【０１８６】
制御部１１２は、まだ全ての信号が処理されていないと判定した場合、その処理を、ステップＳ１に戻し、それ以降の処理を繰り返す。即ち、全ての信号が、コンポーネント信号である出力信号４２として外部に出力される。
【０１８７】
そして、ステップＳ４４において、全ての信号が処理されたと判定されると、その処理が終了される。
【０１８８】
このように、図９の信号処理装置１１は、コンポジット信号である入力信号４１を、コンポーネント信号に変換するとともに、解像度創造適応処理を施して、出力信号４２として出力する第１の機能と、ノイズ適応処理が施されたDVDプレーヤ９１からのコンポーネント信号に対して、さらに、解像度創造適応処理を施して、出力信号４２として出力する（DVDプレーヤ９１とアルゴリズムベイ１２の協調分担による適応処理が施されたコンポーネント信号を、出力信号４２として出力する）第２の機能を有している。
【０１８９】
また、協調分担先であるＤＶＤプレーヤ９１と、アルゴリズムベイ１２の信号処理装置１１に対する所定の接続形態（例えば、信号処理装置１１の無線インタフェース２２と、アルゴリズムベイ１２の無線インタフェース３１の間の距離が、第１の無線通信間距離）が対応付けられており、アルゴリズムベイ１２と信号処理装置１１が、第１の無線通信間距離で相互に無線通信するように接続されると、信号処理装置１１の信号処理の機能が、第２の機能に変化する。
【０１９０】
これに対して、アルゴリズムベイ１２と信号処理装置１１が、第１の無線通信間距離以外の無線通信間距離（第２の無線通信間距離）で相互に無線通信するように接続されると、信号処理装置１１の信号処理の機能が、第１の機能に変化する。
【０１９１】
（第４実施形態）
図１２は、本発明の第４実施形態が適用される信号処理システム１の構成例を表しており、図１のそれに対応する部分には、対応する符号が付してある。
【０１９２】
図１２の信号処理装置１１（第４実施形態が適用される信号処理装置１１）は、図９の信号処理装置１１（第３実施形態が適用される信号処理装置１１）と基本的に同一の構成とされる。即ち、図１２の無線インタフェース２２、および、１/３変換部１７１乃至距離検出部１７５のそれぞれは、図９の無線インタフェース２２、および、１/３変換部１１１乃至距離検出部１１５のそれぞれと基本的に同一の構成とされる。
【０１９３】
図１２のアルゴリズムベイ１２には、無線インタフェース３１、特徴検出部１８１、適応処理部１８２、および、1/3変換および解像度創造用係数記憶部１８３が設けられている。これらの図１２の無線インタフェース３１、特徴検出部１８１、適応処理部１８２、および、1/3変換および解像度創造用係数記憶部１８３のそれぞれは、図９のアルゴリズムベイ１２の無線インタフェース３１、特徴検出部１２１、適応処理部１２２、および、1/3変換および解像度創造用係数記憶部１２４のそれぞれと同一の機能を有するものとされる。
【０１９４】
ただし、図１２のアルゴリズムベイ１２には、図９のスイッチ１２３に対応するスイッチは設けられておらず、また、解像度創造用係数記憶部１２５の代わりに、係数種記憶部１８４が設けられている。
【０１９５】
係数種記憶部１８４は、ノイズ除去と解像度創造を一括して適応処理により行うためのタップ係数を生成するための生成式に利用する係数（以下、タップ係数と区別するために、係数種と称する）を記憶している。
【０１９６】
なお、以下、ノイズ除去と解像度創造を一括して行う適応処理を、他の適応処理と区別するために、ノイズ除去および解像度創造適応処理と称する。また、ノイズ除去および解像度創造適応処理に利用するタップ係数を、以下、ノイズ除去および解像度創造用係数と称する。
【０１９７】
また、係数種記憶部１８４は、この係数種から、ノイズ除去および解像度創造用係数を生成し、生成したノイズ除去および解像度創造用係数のうちの一部を自分自身の空きメモリに記憶するとともに、残りのノイズ除去および解像度創造用係数を、無線インタフェース３１、および、信号処理装置１１の無線インタフェース２２を介して制御部１７２に供給する。
【０１９８】
制御部１７２は、供給された係数を、インタフェース１７４を介して後述するＢＳ（Broadcasting Satellite）チューナ１５１の係数用記憶部１６５に記憶させる。
【０１９９】
このように、係数種記憶部１８４は、ノイズ除去および解像度創造用係数を生成するブロックでもあるので、以下、適宜、ノイズ除去および解像度創造用係数生成部とも称する。
【０２００】
なお、係数種からタップ係数を生成する方法は、例えば、以下の通りとされる。
【０２０１】
即ち、上述した式（１）で利用するタップ係数wjは、係数種をｑjk（kは、０乃至Kの整数値。ただし、ここでは、Kは、例えば、9とする）と表すと、（１３）式で示されるような、パラメータｓ，zを含む生成式によって生成される。
wj＝qj0＋qj1ｓ＋qj2ｚ＋qj3ｓ2＋qj4ｓｚ＋qj5ｚ2＋qj6ｓ3＋qj7ｓ2ｚ＋qj8ｓｚ2＋qj9ｚ3      ・・・（１３）
【０２０２】
以上、係数種からタップ係数を生成する方法を簡単に説明したが、その詳細は、例えば、本出願人により先に出願された特願２００１−１１０６９５号に開示されている。
【０２０３】
協調分担先であるBSチューナ１５１には、MPEG方式により符号化された画像データ（BS放送の画像データ）を受信し、それをデコードして、コンポーネント信号として出力するMPEGデコード部１６１、並びに、MPEGデコード部１６１より供給されたコンポーネント信号に対して、上述したクラス分類適応処理を施す特徴検出部１６２、および、適応処理部１６３が設けられている。
【０２０４】
ＢＳチューナ１５１にはまた、信号処理装置１１のインタフェース１７４と相互に通信するインタフェース１６７、適応処理部１６３による適応処理で利用するタップ係数を選択するためのスイッチ１６６、適応処理部１６３によるノイズ除去適応処理で利用するノイズ除去用係数を記憶するノイズ除去用係数記憶部１６４、および、信号処理装置１１の制御部１７２よりインタフェース１７４およびインタフェース１６７を介して供給されるタップ係数（上述したアルゴリズムベイ１２の係数種記憶部（ノイズ除去および解像度創造用係数生成部）１８４により生成されるノイズ除去および解像度創造用係数）を記憶する係数用記憶部１６５が設けられている。
【０２０５】
スイッチ１６６は、通常、ノイズ除去用係数記憶部１６４側に切り換えられているが、BSチューナ１５１がアルゴリズムベイ１２と協調分担してクラス分類適応処理を施す場合、信号処理装置１１の制御部１７２のインタフェース１７４およびインタフェース１６７を介する制御により、係数用記憶部１６５側に切り換えられる。この場合、適応処理部１６３は、係数用記憶部１６５に記憶されているノイズ除去および解像度創造用係数を利用して、MPEGデコード部１６１からのコンポーネント信号に対して、ノイズ除去および解像度創造適応処理を施し、インタフェース１６７、および、信号処理装置１１のインタフェース１７４を介して制御部１７２に供給する。
【０２０６】
次に、図１３と図１４のフローチャートを参照して、図１２の信号処理システム１の処理例について説明する。
【０２０７】
なお、ここでは、信号処理装置１１のインタフェース１７４とBSチューナ１５１のインタフェース１６７は、予め接続されているものとする。
【０２０８】
図１３のステップＳ７１乃至Ｓ７５の処理のそれぞれは、上述した図１０のステップＳ４１乃至Ｓ４５のそれぞれと基本的に同様である。即ち、図１２の信号処理装置１１にアルゴリズムベイ１２が接続されていない場合の信号処理システム１の処理は、図９のそれと基本的に同様の処理である。
【０２０９】
また、図１４のステップＳ８２乃至Ｓ８５の処理のそれぞれは、図１１のステップＳ５３乃至Ｓ５６の処理のそれぞれと基本的に同様の処理である。即ち、図１２の信号処理装置１１が、無線インタフェース間の距離に応じた協調分担先（ただし、図１２の例では、ＢＳチューナ１５１）に接続されていないと判定された場合（図１２のステップＳ７６の処理でＮＯと判定された場合）の信号処理システム１の処理は、図１１のステップＳ４６の処理でＮＯと判定された場合の図９の信号処理システム１の処理と基本的に同様の処理である（ただし、図９の場合は、アルゴリズムベイ１２のスイッチ１２３の切り換え処理（図１１のステップＳ５２の処理）が必要とされる）。
【０２１０】
従って、以下、図１４のステップＳ７７乃至Ｓ８１の処理についてのみ説明する。
【０２１１】
即ち、ステップＳ７６の処理において、図１２の信号処理装置１１が、無線インタフェース間の距離に応じた協調分担先（ＢＳチューナ１５１）に接続されていると判定された場合、ステップＳ７７において、信号処理装置１１の制御部１７２は、インタフェー１７４、および、インタフェース１６７を介して、ＢＳチューナ１５１のスイッチ１６６を、係数用記憶部１６５側に切り換える。
【０２１２】
ステップＳ７８において、制御部１７２は、無線インタフェース２２、および、無線インタフェース３１を介して、係数種記憶部（ノイズ除去および解像度創造用係数生成部）１８４を制御し、係数種記憶部１８４に記憶されている係数種から、ノイズ除去および解像度創造用係数を生成し、係数種記憶部１８４の空きメモリ、または、ＢＳチューナ１５１の係数用記憶部１６５に記憶させる。
【０２１３】
換言すると、上述したように、係数種記憶部１８４は、自分自身が予め記憶している係数種から、ノイズ除去および解像度創造用係数を生成し、生成したノイズ除去および解像度創造用係数のうちの一部を自分自身の空きメモリに記憶するとともに、残りのノイズ除去および解像度創造用係数を、無線インタフェース３１、および、信号処理装置１１の無線インタフェース２２を介して制御部１７２に供給する。
【０２１４】
制御部１７２は、供給されたノイズ除去および解像度創造用係数を、インタフェース１７４、および、ＢＳチューナ１５１のインタフェース１６７を介して、係数用記憶部１６５に記憶させる。
【０２１５】
これにより、ＢＳチューナ１５１のMPEGデコード部１６１より出力されたコンポーネント信号は、特徴検出部１６２、および、適応処理部１６３によりクラス分類適応処理が施され（係数用記憶部１６５に記憶されているノイズ除去および解像度創造用係数を利用して、ノイズ除去および解像度創造適応処理が施され）、インタフェース１６７、および、信号処理装置１１のインタフェース１７４を介して制御部１７２に供給される。
【０２１６】
このとき、信号処理装置１１の制御部１７２は、ステップＳ７９において、ＢＳチューナ１５１の係数用記憶部１６４に、ＢＳチューナ１５１の特徴検出部１６２により決定されたクラスに対応する係数が記憶されているか否かを判定する。
【０２１７】
例えば、制御部１７２は、ＢＳチューナ１５１の適応処理部１６３より、ノイズ除去および解像度創造適応処理が施されたコンポーネント信号が、インタフェース１６７、および、インタフェース１７４を介して供給されてきた場合、ステップＳ７９において、ＢＳチューナ１５１の係数用記憶部１６４に、ＢＳチューナ１５１の特徴検出部１６２により決定されたクラスに対応する係数が記憶されていると判定する。
【０２１８】
そして、ステップＳ８１において、制御部１７２は、スイッチ１７３を、制御部１７２自身側に切り換え、そのＢＳチューナ１５１からのコンポーネント信号を、出力信号４２として出力する。
【０２１９】
これに対して、例えば、ＢＳチューナ１５１の適応処理部１６３より、これから適応処理を施すコンポーネント信号のクラス（特徴検出部１６２により決定されたクラス）に対応するノイズ除去および解像度創造用係数が、係数用記憶部１６５に記憶されていないことを表す信号が、インタフェース１６７、および、インタフェース１７４を介して供給されてきた場合、ステップＳ７９において、制御部１７２は、ＢＳチューナ１５１の係数用記憶部１６５に、ＢＳチューナ１５１の特徴検出部１６２により決定されたクラスに対応する係数が記憶されていないと判定する。
【０２２０】
そこで、ステップＳ８０において、制御部１７２は、係数種記憶部１８４に記憶されている、そのクラスに対応する係数（ステップＳ７８の処理で係数種記憶部１８４の空きメモリに記憶された係数のうちの、そのクラスに対応する係数）を読出し、無線インタフェース３１、および、無線インタフェース２２を介して取得し、それを、インターフェース１７４、および、ＢＳチューナ１５１のインタフェース１６７を介して適応処理部１６３に提供する。
【０２２１】
これにより、ＢＳチューナ１５１のMPEGデコード部１６１より出力されたコンポーネント信号（特徴検出部１６２によりクラスが決定されたコンポーネント信号）は、適応処理部１６３により適応処理が施され（ステップＳ８０の処理で制御部１７２（アルゴリズムベイ１２の係数種記憶部１８４）より供給されたノイズ除去および解像度創造用係数を利用して、ノイズ除去および解像度創造適応処理が施され）、インタフェース１６７、および、信号処理装置１１のインタフェース１７４を介して制御部１７２に供給される。
【０２２２】
このとき、ステップＳ８１において、制御部１７２は、スイッチ１７３を、制御部１７２自身側に切り換え、そのＢＳチューナ１５１からのコンポーネント信号を、出力信号４２として出力する。
【０２２３】
このように、図１２の信号処理システム１においては、アルゴリズムベイ１２の信号処理装置１１に対する所定の接続形態（第１の無線通信間距離）に対して、アルゴリズムベイ１２とクラス分類適応処理を協調分担するBSチューナ１５が割り当てられている。
【０２２４】
信号処理装置１１は、アルゴリズムベイ１２と信号処理装置１１の無線通信間距離が、第１の無線通信間距離の場合、信号処理の機能として、BSチューナ１５１より供給されるコンポーネント信号（BSチューナ１５１とアルゴリズムベイ１２の協調分担により、ノイズ除去および解像度適応処理が施されたコンポーネント信号）を、出力信号４２として出力する第１の機能を利用する。
【０２２５】
これに対して、信号処理装置１１は、アルゴリズムベイ１２と信号処理装置１１の無線通信間距離が、第１の無線通信間距離以外の場合（第２の無線通信間距離の場合）、信号処理の機能として、アルゴリズムベイ１２より供給されるコンポーネント信号（コンポジット信号である入力信号４１に対応する、解像度創造適応処理のみが施されたコンポーネント信号）を、出力信号４２として出力する第２の機能を利用する。
【０２２６】
以上説明したように、図１の信号処理システム１においては、アルゴリズムベイ１２が第１の接続形態で信号処理装置１１に接続されている場合、アルゴリズムベイ１２は、信号処理装置１１の信号処理の機能を、第１の機能に変更し、アルゴリズムベイ１２が第２の接続形態で信号処理装置１１に接続されている場合、信号処理装置１１の信号処理の機能を、第２の機能に変更するようにしたので、以下のような効果を奏することが可能になる。
【０２２７】
即ち、第１の効果として、アルゴリズムベイ１２の信号処理装置１１に対する装着方向や、無線通信間距離といった接続形態で、機能（または、協調分担先）が容易に指定、または、特定することが可能になる。
【０２２８】
第２の効果として、複数の基板（アルゴリズムベイ１２）を用意する必要がなくなるので、信号処理装置１１をコンパクトに製造することができる。従って、信号処理装置１１の製造コストや複数のアルゴリズムベイ１２の製造コストを削減することが可能になる。また、ユーザは、１枚のアルゴリズムベイ１２を利用して、複数の機能の中から所望の機能を簡単に選択し、実行させることができる。
【０２２９】
信号処理装置１１とアルゴリズムベイ１２が無線通信する場合、以下のような効果をさらに奏することが可能になる。
【０２３０】
即ち、第４の効果として、信号処理装置１１の信号処理の機能が変更されても（例えば、バージョンアップされても）、バスの制約がないため、容易に対応が可能になる。
【０２３１】
第５の効果として、無線なので、信号処理装置１１とアルゴリズムベイ１２のメカニカル形状を簡素化することができるので、さらに製造コストを削減することが可能になる。
【０２３２】
上述した一連の処理は、ハードウエアにより実行させることもできるが、ソフトウエアにより実行させることができる。
【０２３３】
この場合、上述した各種の信号処理装置や、アルゴリズムベイに相当する信号処理装置は、例えば、図１５に示されるようなパーソナルコンピュータにより構成される。
【０２３４】
図１５に示されるように、CPU（Central Processing Unit）２０１は、ROM（Read Only Memory）２０２に記録されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０２３５】
CPU２０１、ROM２０２、およびRAM２０３は、バス２０４を介して相互に接続されている。このバス２０４にはまた、入出力インタフェース２０５も接続されている。
【０２３６】
入出力インタフェース２０５には、キーボード、マウスなどよりなる入力部２０６、ディスプレイなどよりなる出力部２０７、ハードディスクなどより構成される記憶部２０８、モデム、ターミナルアダプタなどより構成される通信部２０９が接続されている。通信部２０９には、インタフェース２１２が接続されている。即ち、通信部２０９は、インタフェース２１２を介して他の信号処理装置との通信処理を行う。
【０２３７】
入出力インタフェース２０５にはまた、必要に応じてドライブ２１０が接続され、磁気ディスク、光ディスク、光磁気ディスク、或いは半導体メモリなどよりなるリムーバブル記録媒体２１１が適宜装着され、それらから読み出されたコンピュータプログラムが、必要に応じて記憶部２０８にインストールされる。
【０２３８】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２３９】
この記録媒体は、図１５に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）２１１により構成されるだけでなく、装置本体に予め組み込まれた状態でユーザに提供される、プログラムが記録されているROM２０２や、記憶部２０８に含まれるハードディスクなどで構成される。
【０２４０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２４１】
また、本明細書において、システムとは、複数の装置や処理部により構成される装置全体を表すものである。
【図面の簡単な説明】
【０２４２】
【図１】本発明が適用される信号処理システムの構成例を示すブロック図である。
【図２】図１のアルゴリズムベイの信号処理装置に対する接続形態の例を説明する図である。
【図３】図１のアルゴリズムベイの信号処理装置に対する接続形態の他の例を説明する図である。
【図４】図１の信号処理システムの具体的な構成例を示すブロック図である。
【図５】図４のアルゴリズムベイのスイッチを説明する図である。
【図６】図４の信号処理システムの処理を説明するフローチャートである。
【図７】図１の信号処理システムの具体的な他の構成例を示すブロック図である。
【図８】図７の信号処理システムの処理を説明するフローチャートである。
【図９】図１の信号処理システムの具体的な構成の他の例を示すブロック図である。
【図１０】図９の信号処理システムの処理を説明するフローチャートである。
【図１１】図９の信号処理システムの処理を説明するフローチャートである。
【図１２】図１の信号処理システムの具体的な他の構成例を示すブロック図である。
【図１３】図１２の信号処理システムの処理を説明するフローチャートである。
【図１４】図１２の信号処理システムの処理を説明するフローチャートである。
【図１５】本発明が適用される信号処理装置の他の構成例を示すブロック図である。
【符号の説明】
【０２４３】
１  信号処理システム，  １１  信号処理装置，  １２  アルゴリズムベイ，  ２１  信号処理部，  ２２  インタフェース，  ２３  インタフェース，  ３１  インタフェース，  ３２  第１の機能提供部，  ３３  第２の機能提供部，  ３４  セレクタ部，  ５１  制御部，  ５４  スロット，  ５５  マーク，  ６１  特徴検出部，  ６２  適応処理部，  ６４  解像度創造用係数記憶部，  ６５  ノイズ除去用係数記憶部，  ６６  マーク，  ７１  距離検出部，  ９１  DVDプレーヤ，  １２１  特徴検出部，  １２２  適応処理部，  １２４  1/3変換および解像度創造用係数記憶部，  １２５  解像度創造用係数記憶部，  １５１  BSチューナ，  １６２  特徴検出部，  １６３  適応処理部，  １６５  係数用記憶部，  １６６  スイッチ，  １８１  特徴検出部，  １８２  適応処理部，  １８４  係数種記憶部（ノイズ除去および解像度創造用係数生成部）
【図１】
2008199687.tif 000011
【図２】
2008199687.tif 000012
【図３】
2008199687.tif 000013
【図４】
2008199687.tif 000014
【図５】
2008199687.tif 000015
【図６】
2008199687.tif 000016
【図７】
2008199687.tif 000017
【図８】
2008199687.tif 000018
【図９】
2008199687.tif 000019
【図１０】
2008199687.tif 000020
【図１１】
2008199687.tif 000021
【図１２】
2008199687.tif 000022
【図１３】
2008199687.tif 000023
【図１４】
2008199687.tif 000024
【図１５】
2008199687.tif 000025